【事件の表示】
　上記当事者間の登録第２５０４１５０号商標の登録取消審判事件について、次のとおり審決する。
【結　論】
　登録第２５０４１５０号商標の指定商品中「回転電気機械、配電用または制御用機械器具」については、その登録は取り消す。
　審判費用は、被請求人の負担とする。
【理　由】
１　本件商標
　本件登録第２５０４１５０号商標（以下、「本件商標」という。）は、昭和６２年１１月３０日に登録出願され、「ＨＩＧＨ　ＷＡＹ」の欧文字を横書きしてなり、第１１類「電気機械器具、電気通信機械器具、電子応用機械器具（医療機械器具に属するものを除く）電気材料」を指定商品として、平成５年２月２６日に設定登録されたものである。
　
２　請求人の主張
　請求人は、結論同旨の審決を求めると申し立て、その理由及び被請求人の答弁に対する弁駁を概略次のように述べ、証拠方法として甲第１ないし第２号証を提出している。
（１）本件商標は、請求人の調査によれば、継続して３年以上、日本国内において、商標権者あるいは使用権者によって使用された事実がない。
（２）被請求人は、使用権者の使用に係る乙第２号証の１（以下「パンフレット」という。）を提出し、本件審判請求に係る指定商品中の「電源コンセント（配電用又は制御用機械器具）」に本件商標が使用されていることがパンフレットによって証明されていると主張している。
　しかしながら、パンフレットの表紙等に「Ｈｉｇｈｗａｙ」の文字が表示されていることは認められるけれども、表紙には「通信のプロフェッショナルによる法人向けインターネットサービスです。」「ＣＳＫネットワークシステムズは特別第二種電気通信事業者です。」の記載も明らかであり、第２頁及び第３頁にわたっては「企業環境に最適なインターネット法人サービスをラインナップ」と極めて大きく横書きしてある他、インターネットサービスに関する役務案内事項が満載されており、しかも、最終頁（４頁）の下方には「※Ｈｉｇｈｗａｙ．ＣＳＫはＣＳＫネットワークシステムズ株式会社が株式会社ＣＳＫから使用許諾を受けている、株式会社ＣＳＫの登録商標（サービスマーク）です。」という「Ｈｉｇｈｗａｙ」の文字は「サービスマーク」（登録を受けている）であることの注意書きまで明記されているのであるから、パンフレットはたとえ、その第３頁の下方の「その他の関連サービス」の項目中の１つに「ネットワーク機器、コンピュータ機器など関連周辺設備の販売」の記載があるとしても、このパンフレットは商品についてのものではなく、インターネットサービスに関する役務についてのパンフレットであることは自明のことである。
（３）また、該パンフレットをみるに、これは上記のとおり、役務についてのものであるが、これが仮に商品にも関するものであるとみても、パンフレットのなかに、たとえ「ネットワーク機器、コンピュータ機器など関連周辺設備の販売」の記載があるとしても、「ネットワーク機器、コンピュータ機器など関連周辺設備」なる表現は、商品を具体的に把握するには極めて抽象的で、かつ、曖昧であって、本件審判請求に係る指定商品「回転電気機械、配電用または制御用機械器具」のいずれかについての商品を具体的に示しているものではない（少なくとも「電源コンセント」の記載もない）から、このパンフレットによって、本件審判請求に係る指定商品のいずれかについて本件商標の使用が証明されているとは到底いえない。
　したがって、本件商標は、その指定商品中「回転電気機械，配電用または制御用機械器具」について使用されていないといわざるを得ないから、商標法第５０条第１項の規定により、これらの指定商品についての登録が取り消されるべきである。
　
３　被請求人の答弁
　被請求人は、本件審判の請求は成り立たない、審判費用は請求人の負担とする旨の審決を求めると答弁し、その理由を概略次のように述べ、証拠方法として乙第１ないし第２号証（枝番を含む。）を提出している。
（１）通常使用権許諾契約の締結の事実
　被請求人は、本件商標に関し、商標登録原簿へ登録してはいないものの、被請求人の関連会社であるＣＳＫネットワークシステムズ株式会社（以下「通常使用権者」という）と平成９年４月４日付で商標使用権許諾契約書を締結している（乙第１号証）。
　この商標使用権許諾契約書においては、その設定の範囲として本件商標を「日本国全域」で「電気機械器具，電気通信機械器具，電子応用機械器具（医療機械器具に属するものを除く），電気材料」に使用することを許諾している。
（２）通常使用権者による本件商標の使用の事実
　乙第２号証の１は、通常使用権者が業として製造・販売または提供する、商標を継続的に使用している商品及び役務のパンフレットの写しである。これによると、通常使用権者の製造・販売または提供する商品及び役務「Ｈｉｇｈｗａｙ　Ｉｎｔｅｒｎｅｔ　サービス」を「アクセスサービス」「サーバシェアリングサービス」「インテグレーションサービス」に分類し、更にそれらを詳細に区分している。とりわけ「インテグレーションサービス」に着目してみると、「アウトソーシング」、「イントラネット構築」、の他、「その他関連サービス」に「ネットワーク機器、コンピュータ機器などの関連周辺設備の販売」と明記されている。
　これら「ネットワーク機器、コンピュータ機器などの関連周辺設備の販売」としては、パソコン本体（電子応用機械器具）、モデム（電気通信機械器具）などは言うまでもないが、そもそも、これら電子応用機械器具、電気通信機械器具類を稼動させるにあたって電源を確保することは必要不可欠であり、そのために必要な関連周辺設備たる電源コンセント（配電用または制御用機械器具）が含まれることは当然のことである。
　したがって、これは商標法第２条第３項第７号に規定するいわゆる商標の広告的使用の事実を表すものである。
　なお、この乙第２号証の１は、平成９年９月以前に株式会社レッカ・コミュニケーションズへ５０００部作成することを発注し、平成９年９月末頃に通常使用権者のオフィスへ納品され、通常使用権者により納品後より配布を開始したものである。乙第２号証の１の製作費用については、平成９年９月３０日に請求され（乙第２号証の２）、その後支払をおこなっている。
　乙第２号証の２から明らかなように、本件審判が請求された平成１１年９月１３日より前から本件商標が「配電用または制御用機械器具」において使用されていることは明らかな事実である。
　
４　当審の判断
（１）被請求人は、本件取消請求に係る指定商品中の「配電用または制御用機械器具」について、通常使用権者が本件商標を使用していると主張し、証拠を提出しているので、該証拠について検討する。
　乙第１号証は、本件商標に関し、「日本国全域」を範囲とする「電気機械器具，電気通信機械器具，電子応用機械器具（医療機械器具に属するものを除く），電気材料」について通常使用権者に使用許諾する、平成９年４月４日付の被請求人と通常使用権者間の商標使用権許諾契約書の写しと認められる。
　乙第２号証の１は、通常使用権者の取り扱いに係るパンフレットの写しと認められるところ、表紙の右上には「Ｈｉｇｈｗａｙ」の文字が大きく表され、その下に小さく「Ｉｎｔｅｒｎｅｔ」の文字が書され、その下に「通信のプロフェッショナルによる法人向けインターネットサービスです。」、また社名の下に「ＣＳＫネットワークシステムズは特別第二種電気通信事業者です。」との記述が認められる。さらに、４頁には「ＣＳＫネットワークシステムズは、２１世紀のコミュニケーション・ネットワークシステムの構築をめざし・・・総合情報通信サービス企業です。」、その下方には「※Ｈｉｇｈｗａｙ．ＣＳＫはＣＳＫネットワークシステムズ株式会社が株式会社ＣＳＫから使用許諾を受けている、株式会社ＣＳＫの登録商標（サービスマーク）です。」との記述が認められる。
　また、「インテグレーションサービス」の「その他の関連サービス」の項目中の１つに「ネットワーク機器、コンピュータ機器など関連周辺設備の販売」の記載が認められる。
　乙第２号証の２は、「Ｈｉｇｈｗａｙ　Ｉｎｔｅｒｎｅｔ法人向けカタログ制作」に関する平成９年９月３０日付けで株式会社レッカ・コミュニケーションズが発行した通常使用権者宛ての請求書の写しと認められる。
　以上によれば、通常使用権者の取り扱いに係るパンフレットの「Ｈｉｇｈｗａｙ」の文字部分は、本件商標と社会通念上同一のものといい得るものであるとしても、該パンフレットは、その記載内容からして、インターネット通信に関する役務についてのものとみるのが自然であり、これをもって「配電用または制御用機械器具」についてのパンフレットであるとし、該商品についての本件商標の使用にあたるとすることはできない。
　被請求人は、「ネットワーク機器、コンピュータ機器などの関連周辺設備の販売」としては、パソコン本体（電子応用機械器具）、モデム（電気通信機械器具）などは言うまでもないが、そもそも、これら電子応用機械器具、電気通信機械器具類を稼動させるにあたって電源を確保することは必要不可欠であり、そのために必要な関連周辺設備たる電源コンセント（配電用または制御用機械器具）が含まれることは当然のことである旨主張している。
　しかしながら、「ネットワーク機器、コンピュータ機器など関連周辺設備の販売」の記載のみでは、本件審判請求に係る指定商品「回転電気機械、配電用または制御用機械器具」のいずれかについての商品を具体的に示しているとはいえず、被請求人は、これを認めるに足りる立証もしていない。
　したがって、上記記載をもって、被請求人が「配電用または制御用機械器具」の販売をしているとは認められないから、被請求人の主張は採用することができない。
　以上のとおり、本件商標は、その指定商品中「回転電気機械、配電用または制御用機械器具」について、被請求人及び通常使用権者によって、本件審判請求の登録前３年以内に日本国内において使用されていたものとはいえず、かつ、使用していないことについて正当な理由があるものとは認められない。
　したがって、本件商標の登録は、商標法第５０条第１項の規定に基づき、その指定商品中の「回転電気機械、配電用または制御用機械器具」についての登録を取り消すべきものである。
　よって、結論のとおり審決する。